(57)【要約】【課題】スペーサを正しい位置に配置してカバーを筐体に固定することが容易な蓄電装置パックの製造方法を提供する。【解決手段】蓄電装置パックの製造方法は、開口を有すると共に開口の縁１０ｅに複数の孔１２を有する筐体１０を用意する工程、少なくとも１つの位置決め棒６０、及び、複数の貫通孔３２を有するスペーサ３０を、開口の縁１０ｅの少なくとも１つの孔１２から位置決め棒６０が立ち、かつ、スペーサ３０の少なくとも１の貫通孔３２を位置決め棒６０が貫通するように、開口の上に、複数の貫通孔を有するカバーを、カバーの少なくとも１の貫通孔を前記位置決め棒が貫通し、かつ、カバーの他の貫通孔がスペーサの他の貫通孔及び開口の縁の他の孔と連通するように配置する工程、及び、ボルトを、カバーの他の貫通孔及び前記スペーサの他の貫通孔を通して、開口の縁の他の孔にねじ込む工程と、を備える。【選択図】図３
2016134222.tif 000002
【特許請求の範囲】
【請求項１】
開口を有すると共に前記開口の縁に複数の孔を有する筐体を用意する工程、
少なくとも１つの位置決め棒、及び、複数の貫通孔を有するスペーサを、前記開口の縁の少なくとも１つの孔から前記位置決め棒が立ち、かつ、前記スペーサの少なくとも１の貫通孔を前記位置決め棒が貫通するように、前記開口の縁の上に配置する、位置決め棒及びスペーサ配置工程、
前記開口の縁の上に前記開口の縁を囲むようにシール材を配置する、シール材配置工程、
前記開口の上に、複数の貫通孔を有するカバーを、前記カバーの少なくとも１の貫通孔を前記位置決め棒が貫通し、かつ、前記カバーの他の貫通孔が前記スペーサの他の貫通孔及び前記開口の縁の他の孔と連通するように配置する、カバー配置工程、及び、
ボルトを、前記カバーの他の貫通孔及び前記スペーサの他の貫通孔を通して、前記開口の縁の他の孔にねじ込む工程、を備える、蓄電装置パックの製造方法。
【請求項２】
前記位置決め棒及びスペーサ配置工程では、少なくとも２つの前記位置決め棒、及び、複数の貫通孔を有する前記スペーサを、前記開口の縁の少なくとも２つの孔から前記位置決め棒が立ち、かつ、前記スペーサの少なくとも２つの貫通孔を前記位置決め棒が貫通するように、前記開口の縁の上に配置する、請求項１記載の方法。
【請求項３】
前記ねじ込む工程の後に、前記位置決め棒を、前記開口の縁の前記孔から引き抜く工程と、
前記孔に、前記カバーの貫通孔及び前記スペーサの貫通孔を通して、ボルトをねじ込む工程を更に備える、請求項１又は２記載の蓄電装置パックの製造方法。
【請求項４】
前記棒を立てる工程において、前記位置決め棒の先端には雄ネジが形成されており、前記少なくとも１つの孔に前記位置決め棒をねじ込む、請求項１に記載の蓄電装置パックの製造方法。
【発明の詳細な説明】
【技術分野】
【０００１】
本発明は、蓄電装置パックの製造方法に関する。
【背景技術】
【０００２】
従来より、開口を有する筐体、筐体内に収容された複数の蓄電装置、開口の縁に重ねられて開口を閉じるカバー、及び、カバーを筐体に押しつけて固定するネジを備える蓄電装置パックが知られている。
【先行技術文献】
【特許文献】
【０００３】
【特許文献１】特開２０１３−２２９１８２号公報
【発明の概要】
【発明が解決しようとする課題】
【０００４】
本発明者らは、開口の縁とカバーとが重なる部分に、弾力性を有するシール用のシール材を配置すると共に、カバーと開口の縁との間で圧縮されるシール材の圧縮後の厚みを規定するためのスペーサを、開口の縁とカバーとの間に配置することを検討している。
【０００５】
しかしながら、ネジによりカバーを開口の縁に固定する際にスペーサの位置がずれることがあることが判明した。
【０００６】
本発明は、上記課題に鑑みてなされたものであり、スペーサを正しい位置に配置してカバーを筐体に固定することが容易な蓄電装置パックの製造方法を提供することを目的とする。
【課題を解決するための手段】
【０００７】
本発明に係る蓄電装置パックの製造方法は、
開口を有すると共に前記開口の縁に複数の孔を有する筐体を用意する工程、
少なくとも１つの位置決め棒、及び、複数の貫通孔を有するスペーサを、前記開口の縁の少なくとも１つの孔から前記位置決め棒が立ち、かつ、前記スペーサの少なくとも１の貫通孔を前記位置決め棒が貫通するように、前記開口の縁の上に配置する、位置決め棒及びスペーサ配置工程、
前記開口の縁の上に前記開口の縁を囲むようにシール材を配置する、シール材配置工程、
前記開口の上に、複数の貫通孔を有するカバーを、前記カバーの少なくとも１の貫通孔を前記位置決め棒が貫通し、かつ、前記カバーの他の貫通孔が前記スペーサの他の貫通孔及び前記開口の縁の他の孔と連通するように配置する、カバー配置工程、及び、
ボルトを、前記カバーの他の貫通孔及び前記スペーサの他の貫通孔を通して、前記開口の縁の他の孔にねじ込む工程、を備える。
【０００８】
本発明によれば、ボルトをねじ込んでカバーを筐体に固定する際に、スペーサの他の貫通孔を貫通する位置決め棒が存在するので、スペーサの位置が回転等によりずれてしまうことを抑制できる
【０００９】
ここで、前記位置決め棒及びスペーサ配置工程では、少なくとも２つの位置決め棒、及び、複数の貫通孔を有するスペーサを、前記開口の縁の少なくとも２つの孔から前記位置決め棒が立ち、かつ、前記スペーサの少なくとも２つの貫通孔を前記位置決め棒が貫通するように、前記開口の縁の上に配置することができる。
【００１０】
これによれば、ボルトねじ込み時だけでなく、それ以前の例えば、シール材を配置する工程は、カバーを配置する工程等でもスペーサが一切動かなくなるので、より好適である。
【００１１】
また、前記ねじ込む工程の後に、前記位置決め棒を、前記開口の縁の前記孔から引き抜く工程と、
前記引き抜き後の前記孔に、前記カバーの貫通孔及び前記スペーサの貫通孔を通して、ボルトをねじ込む工程を更に備えることができる。
【００１２】
これによれば、シール性を高められる。
【００１３】
また、前記棒を立てる工程において、前記位置決め棒の先端には雄ねじが形成されており、前記少なくとも１つの孔に前記位置決め棒をねじ込むことができる。
【発明の効果】
【００１４】
本発明によれば、スペーサを正しい位置に配置してカバーを筐体に固定することが容易な蓄電装置パックの製造方法が提供される。
【図面の簡単な説明】
【００１５】
【図１】図１は、本実施形態で製造する蓄電装置パックの分解斜視図である。
【図２】図２の（ａ）は本発明の１実施形態に係る蓄電装置パックの製造方法を説明する斜視図であり、図２の（ｂ）は、（ａ）の筐体の縁１０ｅ近傍の断面図である。
【図３】図３の（ａ）は本発明の１実施形態に係る蓄電装置パックの製造方法を説明する図２の（ａ）に続く斜視図であり、図３の（ｂ）は、（ａ）の筐体の縁１０ｅ近傍の断面図である。
【図４】図４は本発明の１実施形態に係る蓄電装置パックの製造方法を説明する図３の（ａ）に続く斜視図である。
【図５】図５の（ａ）は本発明の１実施形態に係る蓄電装置パックの製造方法を説明する図４に続く斜視図であり、図５の（ｂ）は、（ａ）の筐体の縁１０ｅ近傍の断面図である。
【発明を実施するための形態】
【００１６】
図面を参照して、本発明の１実施形態に係る蓄電装置パックの製造方法について説明する。
【００１７】
まず、本実施形態で製造する、蓄電装置パックについて、図１を参照して説明する。
【００１８】
図１に示すように、蓄電装置パック１は、開口１０ｏｐを有する筐体１０、筐体１０内に収容される複数の蓄電装置モジュール９０、及び、開口１０ｏｐを閉鎖するカバー４０を有する。筐体１０及びカバー４０が、ケースを構成する。蓄電装置モジュール９０は、１または複数の蓄電装置を有する。蓄電装置の例は、リチウムイオン二次電池、電気二重層キャパシタ、リチウムイオンキャパシタである。
【００１９】
筐体１０は、矩形の箱形状を有し、１つの主面１０Ａの中央部に開口１０ｏｐを有し、当該主面１０Ａの開口１０ｏｐの周りには縁１０ｅを有する。
【００２０】
縁１０ｅは、開口１０ｏｐに沿って、複数のネジ孔１２を有する。開口１０ｏｐは矩形形状を有し、開口１０ｏｐの各辺にそってそれぞれ複数のネジ孔１２が並んで設けられており、各辺のネジ孔１２の列をそれぞれ１２Ａ〜１２Ｄと呼ぶ。
【００２１】
カバー４０は、筐体１０の主面１０Ａと同一の外形形状を有する矩形板であり、ネジ孔１２に対応する位置にそれぞれ貫通孔４２を有する。
【００２２】
カバー４０と筐体１０の縁１０ｅとの間には、シール材２０及びスペーサ３０が挟み込まれている。シール材２０は、縁１０ｅに沿って開口を囲む環状形状を有する。シール材２０は、例えば、ゴム、スポンジ等の弾性材料により形成されている。シール材２０は、縁１０ｅにおける外側の部分に配置される。
【００２３】
スペーサ３０は、ネジ孔１２に対応する位置に貫通孔３２を有する細長い板状部材である。本実施形態では、ネジ孔１２の列１２Ａ〜１２Ｄ毎にスペーサ３０が配置されている。各スペーサ３０は、各列１２Ａ〜１２Ｄのネジ孔に対応する位置に貫通孔３２を有する。本実施形態では、各スペーサ３０は、互いに分離して設けられている。各スペーサ３０は、カバー４０と縁１０ｅとの間において、シール材２０よりも内側、即ち、開口１０ｏｐに近い位置に配置されている。スペーサ３０は、金属、樹脂等の硬質材料により形成されている。スペーサ３０の厚みは、シール材２０の非圧縮時の厚みよりも小さくされている。
【００２４】
ボルト５０は、カバー４０の貫通孔４２、及び、スペーサ３０の貫通孔３２を貫通した状態で、筐体１０の縁１０ｅのネジ孔１２にねじ込まれている。これにより、ボルト５０の頭部５０ｈがカバー４０を筐体１０に押圧し、カバー４０を筐体１０の縁１０ｅに固定している。シール材２０は、カバー４０と縁１０ｅに挟まれることにより圧縮されており、カバー４０と縁１０ｅとの間隔はスペーサ３０により規定される。
【００２５】
なお、図示は省略するが、筐体１０には一対の外部との電気接続端子が設けられ、これらの接続端子と蓄電装置モジュールの蓄電装置とが電気的に接続されている。
【００２６】
続いて、このような蓄電装置パックの製造方法について説明する。
まず、図１に示すような、筐体１０、カバー４０、シール材２０、及び、スペーサ３０を用意する。
【００２７】
続いて、図２の（ａ）及び（ｂ）に示すように、位置決め棒６０を、縁１０ｅのネジ孔１２にねじ込んで、ネジ孔１２に位置決め棒６０を立てる。ここで、位置決め棒６０は、図２の（ｂ）に示すように、その先端に筐体１０のネジ孔１２にねじ込み可能な雄ネジ部６０ａを有し、かつ、カバー４０の貫通孔４２及びスペーサ３０の貫通孔３２を通り抜け可能な外径を有する。ここでは、ネジ孔１２の４つの列１２Ａ〜１２Ｄのそれぞれの列の両端のネジ孔１２に位置決め棒６０をねじ込み、ネジ孔１２の列１２Ａ〜１２Ｄの両端以外のネジ孔１２には位置決め棒６０をねじ込まないようにする。
【００２８】
続いて、図３の（ａ）及び（ｂ）に示すように、そして、各スペーサ３０の両端の貫通孔３２に対して、それぞれ位置決め棒６０が貫通するように、縁１０ｅ上に４つのスペーサ３０を配置する。これにより、位置決め棒６０がねじ込まれていない縁１０ｅのネジ孔１２と、スペーサ３０の貫通孔３２とが連通することになる。
【００２９】
続いて、縁１０ｅの上、かつ、スペーサ３０より外側に、シール材２０を配置する。
【００３０】
続いて、図４に示すように、開口１０ｏｐを覆うように、カバー４０を縁１０ｅ上に配置する。このとき、各位置決め棒６０が、カバー４０の貫通孔４２を貫通するようにカバー４０を配置する。これにより、位置決め棒６０がねじ込まれていない縁１０ｅのネジ孔１２と、スペーサ３０の貫通孔３２と、カバー４０の貫通孔４２とが連通する。
【００３１】
次に、ボルト５０を、スペーサ３０の貫通孔３２及びカバー４０の貫通孔４２を貫通させて、位置決め棒６０がねじ込まれていないネジ孔１２にねじ込んで、カバー４０をシール材２０に密着させる。ボルト５０は、カバー４０の貫通孔４２の内径よりも外径が大きな頭部５０ｈを有する。その後、図５に示すように、位置決め棒６０をネジ孔１２から外し、当該ネジ孔１２に、同様にしてボルト５０をねじ込む。これらのボルト５０により、カバー４０がシール材２０を圧縮して高いシール性が得られる。また、カバー４０と縁１０ｅとの間隔は、スペーサ３０により規定される。
【００３２】
本実施形態によれば、位置決め棒６０を用いることにより、スペーサ３０及びカバー４０の位置決めが容易になり、ボルト５０によるカバー４０の固定が容易である。また、１つのスペーサ３０に対して、２つの位置決め棒６０を用いているので、ボルト５０のねじ込み時、シール材２０の配置時、及び、カバー４０を開口にかぶせる際に、スペーサ３０の位置がずれることがない。
【００３３】
本発明は上記実施形態に限定されず、様々な変形態様が可能である。
【００３４】
例えば、上記実施形態では、スペーサ３０が有する複数の貫通孔３２の内の両端の貫通孔に対応するネジ孔１２に位置決め棒６０を立てているが、両端以外の２箇所の貫通孔に対応するネジ孔１２に位置決め棒６０を立てても良い。また、スペーサ３０が有する貫通孔３２の数が多い場合には、位置決め棒６０を３箇所以上に立てても良い。
【００３５】
また、１つのスペーサ３０に対して、２本の位置決め棒６０を立てるのではなく、１本の位置決め棒６０を立てても実施は可能である。この場合でも、位置決め棒６０が立っていないネジ孔１２にボルト５０をねじ込む際にスペーサ３０が回転してしまうことを防止できる。
【００３６】
また、上記実施形態では、位置決め棒６０を抜いた後に、そのネジ孔１２にボルト５０をねじ込んでいるが、位置決め棒６０の雄ネジ部６０ａにシール性が有れば位置決め棒６０を抜き取らずにそのまま残しておいても実施は可能である。
【００３７】
また、位置決め棒６０が雄ネジ部６０ａを有さずに、単に、ネジ孔１２内に挿入できる細径部を有するものであっても実施は可能である。この場合、位置決め棒６０を立てること、及びその抜き取りを迅速に行える。
【００３８】
さらに、上記実施形態では、筐体１０の縁１０ｅにネジ孔１２を設けているが、ボルト５０として圧入型ネジを採用することもでき、この場合は、ネジ孔１２に代えて、単なる貫通孔、あるいは、有底の孔でも良い。また、孔の断面も、円に限られず、矩形や長孔でも良い。
【００３９】
また、上記実施形態では、位置決め棒６０をネジ孔１２に立ててから、スペーサ３０を開口の縁１０ｅ上に配置しているが、スペーサ３０を開口の縁１０ｅ上に配置してから、位置決め棒６０をスペーサ３０の貫通孔を通してネジ孔１２に立てても実施は可能である。
【００４０】
また、スペーサ３０及び位置決め棒６０を配置する工程と、シール材２０とを配置する工程の順序は、いずれが先でも良いし、同時でもよい。
【００４１】
また、ネジ孔１２の数や、スペーサの穴の数等も、開口の形状に応じて適宜変更できる。
【００４２】
また、スペーサの形状も、複数に分割されておらず、シール材２０と同様の環状形状でも良い。
【符号の説明】
【００４３】
１０ｏｐ…開口、１０…筐体、１０ｅ…縁、１２…ネジ孔（孔）、３０…スペーサ、３２…貫通孔、２０…シール材、４０…カバー、５０…ボルト、６０…位置決め棒、１…蓄電装置パック。
【図１】
2016134222.tif 000003
【図２】
2016134222.tif 000004
【図３】
2016134222.tif 000005
【図４】
2016134222.tif 000006
【図５】
2016134222.tif 000007